(57)【要約】【課題】安定的に放電を生起させることができる空気清浄機を提供する。【解決手段】空気清浄機は、室内の空気を取り込み、清浄化して室内へと吹き出す空気清浄機であって、取付枠１１と、対向電極ユニット２１，２２と、放電用電極部６５と、静電フィルタとを備える。取付枠１１は、空気が通る開口が設けられた樹脂製の部材である。対向電極ユニット２１，２２は、取付枠１１に着脱可能に取り付けられる樹脂製の支持体２３，２４と、支持体２３，２４に支持され開口に対向して配置される対向電極２５とを有する。放電用電極部６５は、電圧を印可されることにより対向電極２５との間に放電を生起させるイオン化線６６を有しており、取付枠１１に取り付けられる。静電フィルタは、対向電極２５および放電用電極部６５よりも空気の流れの下流側に配置され、空気中に含まれ放電によって帯電した塵埃を捕集する。【選択図】図４
2008012421.tif 000002
【特許請求の範囲】
【請求項１】
室内の空気を取り込み、清浄化して室内へと吹き出す空気清浄機であって、
前記空気が通る開口が設けられた樹脂製の取付枠（１１）と、
前記取付枠（１１）に着脱可能に取り付けられる樹脂製の支持体（２３，２４）と、前記支持体（２３，２４）に支持され前記開口に対向して配置される対向電極（２５）とを有する対向電極ユニット（２１，２２）と、
前記取付枠（１１）に取り付けられ、電圧を印可されることにより前記対向電極（２５）との間に放電を生起させる放電用電極（６６）を有する放電用電極部（６５）と、
前記対向電極（２５）および前記放電用電極部（６５）よりも前記空気の流れの下流側に配置され、前記空気中に含まれ前記放電によって帯電した塵埃を捕集する静電フィルタ（４５）と、
を備える空気清浄機（１）。
【請求項２】
前記対向電極（２５）と前記支持体（２３，２４）とは一体化されている、
請求項１に記載の空気清浄機（１）。
【発明の詳細な説明】
【技術分野】
【０００１】
本発明は、空気清浄機に関する。
【背景技術】
【０００２】
近年、電気集塵機能を有し室内から取り込んだ空気を清浄化することができる空気清浄機が利用されている（特許文献１参照）。この空気清浄機は、高圧電流が流される放電用電極と、放電用電極と対向して配置される対向電極と、室内から取り込まれた空気が通る開口が設けられ樹脂等の絶縁性材料から形成され放電用電極と対向電極とが取り付けられる取付枠と、放電用電極および対向電極の下流側に配置される静電フィルタとを備えている。この空気清浄機では、まず、塵埃等の微粒子を含む空気が機内に取り込まれる。そして、放電用電極と対向電極との間に放電電圧が印可されることにより、空気中に放電を生じさせる。これにより、空気中の微粒子に強い電荷がかけられ、微粒子が帯電する。帯電した微粒子は、微粒子が帯電した電荷に対して逆の電荷に帯電した静電フィルタに吸着される。これにより、空気清浄機内に取り込まれた空気に含まれる微粒子を空気から分離し除去することができる。
【特許文献１】特開２００３−３１４８４３号公報
【発明の開示】
【発明が解決しようとする課題】
【０００３】
上記のような空気清浄機では、電極間に高圧の放電電圧が印可されるため、安定的に放電を生じさせるためには、電圧が印可される電極間の絶縁性が高いことが望ましい。しかし、各電極は共通の取付枠に取り付けられるため、高い絶縁性を確保することが困難である。また、各電極が取り付けられる取付枠や対向電極には、汚れが付着し易く、汚れによって電極間の絶縁性が低下し易い。
【０００４】
本発明の課題は、安定的に放電を生起させることができる空気清浄機を提供することにある。
【課題を解決するための手段】
【０００５】
第１発明に係る空気清浄機は、室内の空気を取り込み、清浄化して室内へと吹き出す空気清浄機であって、取付枠と、対向電極ユニットと、放電用電極部と、静電フィルタとを備える。取付枠は、空気が通る開口が設けられた樹脂製の部材である。対向電極ユニットは、取付枠に着脱可能に取り付けられる樹脂製の支持体と、支持体に支持され開口に対向して配置される対向電極とを有する。放電用電極部は、取付枠に取り付けられ、電圧を印可されることにより対向電極との間に放電を生起させる放電用電極を有する。静電フィルタは、対向電極および放電用電極部よりも空気の流れの下流側に配置され、空気中に含まれ放電によって帯電した塵埃を捕集する。
【０００６】
この空気清浄機では、放電用電極と対向電極との間に電圧が印可されることにより放電を生じさせ、取付枠の開口を通過する空気に含まれる塵埃等の微粒子を帯電させる。帯電した微粒子は下流側に位置する静電フィルタによって捕集される。このため、空気中から塵埃等の微粒子を除去して清浄化することができる。
【０００７】
ここで、この空気清浄機では、対向電極が直接に取付枠に取り付けられるのではなく、樹脂製の支持体を介して取付枠に取り付けられる。このため、対向電極が直接に取付枠に取り付けられる場合よりも、放電用電極と対向電極との沿面距離を長くすることができ、絶縁性を向上させることができる。
【０００８】
また、支持体が取付枠に対して着脱可能であるため、対向電極ユニットの取付枠からの取り外しや取付が容易である。従って、対向電極ユニットのメンテナンスが容易であり、汚れによる電極間の絶縁性の低下を防止し易くすることができる。
【０００９】
第２発明の空気清浄機は、第１発明の空気清浄機であって、対向電極と支持体とは一体化されている。
【００１０】
この空気清浄機では、支持体を取付枠から取り外すことによって、対向電極と支持体とを一緒に取付枠から取り外すことができる。また、支持体を取付枠に取り付けることによって、対向電極と支持体とを一緒に取付枠に取り付けることができる。このため、対向電極と支持体との取り外しや取り付けがより容易であり、メンテナンス性を向上させることができる。
【発明の効果】
【００１１】
第１発明の空気清浄機では、空気中から塵埃等の微粒子を除去して清浄化することができる。また、対向電極が直接に取付枠に取り付けられる場合よりも、放電用電極と対向電極との沿面距離を長くすることができ、絶縁性を向上させることができる。さらに、対向電極ユニットのメンテナンスが容易であり、汚れによる電極間の絶縁性の低下を防止し易くすることができる。
【００１２】
第２発明の空気清浄機では、対向電極と支持体との取り外しや取り付けがより容易であり、メンテナンス性を向上させることができる。
【発明を実施するための最良の形態】
【００１３】
＜空気清浄機１の全体構成＞
本発明の一実施形態にかかる空気清浄機１を図１に示す。この空気清浄機１は、室内の床に設置される床置き型空気清浄機であり、室内の空気を内部に取り込み、清浄化して室内へと吹き出すことができる。この空気清浄機１は、前面パネル２と本体部３とを有する箱状のケーシング４を備えている。本体部３は前面が大きく開口しており（図３参照）、前面パネル２は本体部３の前面の開口を閉じている。また、ケーシング４の両側面前部には室内の空気を吸い込む吸込み口５が設けられており、ケーシング４の上面後部には清浄化された空気を室内へと吹き出す吹出し口（図示せず）が設けられている。
【００１４】
次に、空気清浄機１の基本構成について図２に基づいて説明する。なお、図２は、空気清浄機１の内部の構成を空気の流れと共に示した模式図である。この空気清浄機１は、プレフィルタ４１、プラズマイオン化部４２、光触媒フィルタ４３、プラズマ触媒フィルタ４４、送風装置３０、ストリーマ放電ユニット５０等を備えている。
【００１５】
プレフィルタ４１は、吸込み口５から吸い込まれた空気が最初に通過するフィルタであり、比較的大きなホコリや塵を空気中から除去する。プレフィルタ４１は、正面パネル２の後方に設けられており、後述するプラズマイオン化部４２の取付枠１１の前面に取り付けられている。プレフィルタ４１は、ポリプロピレン（以下、ＰＰという）製の糸状の樹脂網からなるネットと、ネットを保持するフレームとから構成されている（図示せず）。プレフィルタ４１のネットを構成する繊維には、可視光線型の光触媒とカテキンとが空気側に露出するように担持されている。可視光線型の光触媒は、可視光線により光触媒作用が活性化される酸化チタン等を含んでおり、プレフィルタ４１に付着する塵埃などに含まれるカビ菌や細菌などの菌やウィルスを除去する。
【００１６】
プラズマイオン化部４２は、通過する空気中に含まれる塵埃等の微粒子を帯電させる装置であり、プレフィルタ４１の空気流れの下流側に位置している。プラズマイオン化部４２の構成については後に詳述する。
【００１７】
光触媒フィルタ４３は、プラズマイオン化部４２の空気流れの下流側に配置されたプリーツ状のフィルタであり、静電フィルタ４５およびチタンアパタイト担持フィルタを張り合わせて形成されている。なお、この光触媒フィルタ４３は、静電フィルタ４５が前側に、チタンアパタイト担持フィルタが後側に面するように配置されている。静電フィルタ４５は、プラズマイオン化部４２を通過する際に帯電させられた塵埃などを捕集する。チタンアパタイト担持フィルタは、静電フィルタ４５を通過した塵埃などを吸着する。このチタンアパタイト担持フィルタは、プレフィルタ４１と同様に、チタンアパタイトを担持させたＰＰの繊維から形成されている。なお、チタンアパタイトとは、カルシウムヒドロキシアパタイトの一部のカルシウム原子がイオン交換などの手法によってチタン原子に置換されたアパタイトである。このチタンアパタイトは、塵埃などに含まれるウィルスやカビ菌、細菌などを特異的に吸着する性質を有する。そして、このチタンアパタイトは、後述するストリーマ放電ユニット５０から供給される活性種により光触媒機能が活性化され、ウィルスやカビ菌、細菌などを不活化または死滅させる。なお、この光触媒フィルタ４３は、プリーツ状に形成されているため、折り目に合わせて容易に折り畳むことが可能である。このため、予備の光触媒フィルタ４３が、折り畳まれた状態で、ケーシング４の内部に設けられた交換用フィルタ収納部Ａに収納可能となっている（図３参照）。
【００１８】
プラズマ触媒フィルタ４４は、送風装置３０の送風ファン３１の前方であり、且つ、光触媒フィルタ４３の後方に配置されている。すなわち、プラズマ触媒フィルタ４４は、送風ファン３１と光触媒フィルタ４３との間に配置されている。プラズマ触媒フィルタ４４には、アナターゼ型の二酸化チタンが担持されている。プラズマ触媒フィルタ４４では、光触媒フィルタ４３に吸着されなかった空気中のウィルスや菌などを吸着する。このプラズマ触媒フィルタ４４では、吸着された菌やウィルスなどが活性種により活性化された二酸化チタンによって死滅あるいは不活化される。
【００１９】
送風装置３０は、吸込み口５から吸い込まれ、プレフィルタ４１、プラズマイオン化部４２、光触媒フィルタ４３、プラズマ触媒フィルタ４４を通って吹出し口から吹き出される空気の流れを生成する。送風装置３０は、送風ファン３１およびファンモータ３２を有する。送風ファン３１は、回転軸方向から空気を吸い込み、回転中心から半径方向外側に向かって空気を吹き出す遠心ファンである。ファンモータ３２は、インバータ回路により周波数制御されるインバータモータであり、図示しない制御部によって制御される。なお、送風装置３０によって生成された空気流の大半は吹出し口に送られるが、そのうちの一部は本流から分岐してストリーマ放電ユニット５０に送られる。
【００２０】
ストリーマ放電ユニット５０は、ストリーマ放電を生起させることにより、光触媒フィルタ４３に供給する活性種を生成し、空気流中に放出する。ストリーマ放電ユニット５０は、送風装置３０によって生成された空気流の本流が通る空気通路から分岐した空気通路中に設けられており、プレフィルタ４１、プラズマイオン化部４２、光触媒フィルタ４３、プラズマ触媒フィルタ４４を通過した後の清浄化された空気がストリーマ放電ユニット５０に送られる。ストリーマ放電ユニット５０を通り活性種を含んだ空気は、図示しないダクトによってプレフィルタ４１の上流側に戻される。
【００２１】
＜プラズマイオン化部４２の構成＞
次に、プラズマイオン化部４２の構成の構成について説明する。
【００２２】
プラズマイオン化部４２は、図３に示すように、本体部３の前面に取り付けられ、プレフィルタ４１を通過した空気中に浮遊している比較的小さな塵埃を耐電させる。なお、図３は、前面パネル２を取り外した状態の空気清浄機１を示しており、プラズマイオン化部４２の上方には、上述した交換用フィルタ収納部Ａが設けられている。また、交換用フィルタ収納部Ａの側方には、ストリーマ放電ユニット５０が収納されるストリーマ放電ユニット収納部Ｂが設けられている。
【００２３】
プラズマイオン化部４２を後方から見た背面図を図４に示す。プラズマイオン化部４２は、取付枠１１、一対の対向電極ユニット２１，２２、放電用電極部６５を有している。以下、プラズマイオン化部４２の構成に関して、「左右」とは、プラズマイオン化部４２を後方から見た場合における左右方向を意味するものとする。
【００２４】
〔取付枠１１〕
取付枠１１は、絶縁性を有する樹脂材料から形成された枠状の部材であり、ケーシング４の本体部３に着脱自在に取り付けられている。取付枠１１には、前後方向に貫通し空気が通る開口が設けられている。取付枠１１の開口における空気流れの出口側部分すなわち取付枠１１の後面には、開口を覆うように格子面１２が形成されている。上述したプレフィルタ４１は、格子面１２の前面を覆うように取り付けられており、取付枠１１の前端部よりも少し後方に位置している。また、図５に示すように、取付枠１１の両側面および下面のうち格子面１２よりも前方に位置する部分にはスリット状の側部開口１３および下部開口１４がそれぞれ設けられており、吸込み口５から吸い込まれた空気は、取付枠１１の側部開口１３および下部開口１４を通った後にプレフィルタ４１および格子面１２を通り、取付枠１１の後方へ至る。
【００２５】
図４に示すように、取付枠１１の後面のうち開口の縁部の外側には、放電用電極部６５が固定される第１放電用電極固定部１５および第２放電用電極固定部１６が設けられている。第１放電用電極固定部１５は、取付枠１１の後面のうち開口の左側縁部の左側方に設けられており、第２放電用電極固定部１６は、取付枠１１の後面のうち開口の右側縁部の右側方に設けられている。第１放電用電極固定部１５および第２放電用電極固定部１６は、取付枠１１の後面から後方に突出する複数のリブ又はボスであり、ここでは、それぞれ３つずつ設けられている。これらのリブ又はボスは、開口の左側縁部および右側縁部に沿って上下方向に並んで配置されている。
【００２６】
また、取付枠１１の後面のうち第１放電用電極固定部１５および第２放電用電極固定部１６の外側には、対向電極ユニット２１，２２が固定される第１対向電極固定部１７および第２対向電極固定部１８が設けられている。第１対向電極固定部１７は、取付枠１１の後面において第１放電用電極固定部１５より左側に設けられており、第２対向電極固定部１８は、取付枠１１の後面において第２放電用電極固定部１６より右側に設けられている。第１対向電極固定部１７および第２対向電極固定部１８は、取付枠１１の後面から後方に突出する複数の係止爪であり、ここでは、それぞれ２つの係止爪が設けられている。これらの係止爪は、開口の左側縁部および右側縁部に沿って上下方向に並んで配置されている。なお、第１対向電極固定部１７と第１放電用電極固定部１５とは上下方向に並んで交互に配置されており、２つの第１対向電極固定部１７の中間に１つの第１放電用電極固定部１５が配置され、３つの第１放電用電極固定部１５の各中間位置に第１対向電極固定部１７がそれぞれ配置されている。このため、第１対向電極固定部１７は、後述する第１対向電極ユニット２１の第１支持体２３や第２支持体２４の上下方向における中間部に対向している。第２対向電極固定部１８と第２放電用電極固定部１６についても同様である。
【００２７】
取付枠１１の後面の左上角部には、第１接触子５１が取り付けられる第１接触子固定部１９が設けられており、放電用電極部６５に放電電圧を印可するための第１接触子５１が取り付けられている。また、格子面１２の左右方向および上下方向の中間部分には、第２接触子固定部２０が設けられており、対向電極２５をアースするための第２接触子５２が取り付けられている。
【００２８】
〔対向電極ユニット２１，２２〕
一対の対向電極ユニット２１，２２は、図４および図５に示すように、取付枠１１の後面において上下に並んで取り付けられる。以下、上側の対向電極ユニットを第１対向電極ユニット２１と呼び、下側の対向電極ユニットを第２対向電極ユニット２２と呼ぶ。
【００２９】
第１対向電極ユニット２１は、図６に示すように、取付枠１１に着脱可能に取り付けられる樹脂製の第１支持体２３および第２支持体２４と、第１支持体２３および第２支持体２４に支持され取付枠１１の開口に対向して配置される対向電極２５とを有する。
【００３０】
対向電極２５は、金属板が屈曲されて形成されており、複数の細長い棒状部分２６と、複数の棒状部分２６の一端を繋ぐ第１連結部２７と、複数の棒状部分２６の他端を繋ぐ第２連結部２８とから構成されている。各棒状部分２６は、左右方向に平行に配置されており、互いに平行に上下方向に間隔を隔てて配置されている。第１連結部２７は、上下方向に延び、複数の棒状部分２６の左端部を繋いでいる。第２連結部２８は、上下方向に延び、複数の棒状部分２６の右端部を繋いでいる。
【００３１】
第１支持体２３は対向電極２５の一端を支持し、第２支持体２４は対向電極２５の他端を支持している。具体的には、第１支持体２３は、対向電極２５の左端部すなわち第１連結部２７の左端部を支持しており、第２支持体２４は、対向電極２５の右端部すなわち第２連結部２８の右端部を支持している。第１支持体２３の内側部には、複数の係止爪が設けられており、対向電極２５の左端部が係止して固定される。これにより、対向電極２５と第１支持体２３とが一体化されている。また、第１支持体２３の外側部には、外方へ突出する凸部２９が形成されており、この凸部２９には前後方向に貫通する貫通孔６１が形成されている。この貫通孔６１に第１対向電極固定部１７が挿入され凸部２９に係止することにより、第１支持体２３が取付枠１１に取り付けられる。第２支持体２４も第１支持体２３と同様の構成であり、第２支持体２４の内側部に形成された係止爪が対向電極２５の右端部に係止して固定されている。また、第２支持体２４の外側部の凸部６２に形成された貫通孔６３に第２対向電極固定部１８の係止爪が挿入され凸部６２に係止することによって、第２支持体２４が取付枠１１に取り付けられる。
【００３２】
なお、第１支持体２３と第２支持体２４とは左右対称の形状を有しており、第１支持体２３を第２対向電極固定部１８に取付可能であり、且つ、第２支持体２４を第１対向電極固定部１７に取付可能である。また、第１対向電極ユニット２１全体も左右対称の形状であるため、第１対向電極ユニット２１を上記とは左右逆に取付枠１１に取り付けることも可能である。このため、第１対向電極ユニット２１の取付方向の自由度が高く、洗浄等の後に第１対向電極ユニット２１を取付枠１１に容易に取り付けることができる。
【００３３】
第２対向電極ユニット２２は、第１対向電極ユニット２１と同様の構成である。
【００３４】
なお、図４に示すように、第１対向電極ユニット２１と第２対向電極ユニット２２とは、取付枠１１の第２接触子固定部２０を間に挟んで上下に配置されており、第１対向電極ユニット２１の最も下側に位置する棒状部分２６と、第２対向電極ユニット２２の最も上側に位置する棒状部分２６とが、第２接触子固定部２０に取り付けられた第２接触子５２に接触している。
【００３５】
また、第１対向電極ユニット２１と第２対向電極ユニット２２とは同一の形状であり、第１対向電極ユニット２１と第２対向電極ユニット２２とを上記と逆に取り付けることも可能である。すなわち、第１対向電極ユニット２１を下側に、第２対向電極ユニット２２を上側に取り付けることができる。
【００３６】
〔放電用電極部６５〕
放電用電極部６５は、取付枠１１に取り付けられ、電圧を印可されることにより対向電極２５との間に放電を生起させる。放電用電極部６５は、複数のイオン化線６６と、第１イオン化線支持部６７と第２イオン化線支持部６８とを有する。なお、図４では、イオン化線６６については１つのイオン化線６６にのみ符号を付して他は省略している。
【００３７】
複数のイオン化線６６は、微小径のタングステン線材などによって形成された線状電極である。イオン化線６６は、図４および図７に示すように、取付枠１１の格子面１２の後方に位置しており、前面視または後面視において、複数の棒状部分２６の間の隙間に対向するように配置されている。なお、図７は、格子面１２、イオン化線６６、対向電極２５の側面断面の一部を示す模式図である。このイオン化線６６に放電電圧が印可されることによって、イオン化線６６と対向電極２５との間にコロナ放電が生じる。複数のイオン化線６６は、それぞれ左右方向に平行に配置されており、上下方向に距離を隔てて並べられている。なお、ここでは、８つのイオン化線６６が配置されているが、イオン化線６６は、左右方向に折り返された一本のワイヤの直線部分であり、一本のワイヤから２つのイオン化線６６が形成されている。
【００３８】
第１イオン化線支持部６７は、取付枠１１の第１放電用電極固定部１５に取り付けられる金属製の部材であり、イオン化線６６の左端部を支持する。第１イオン化線支持部６７は、上下方向に延びる細長い形状を有しており、対向電極ユニット２１，２２の第１支持体２３に対向して配置される。第１イオン化線支持部６７の内側端（右側端）には、イオン化線６６の端部が係止する複数の第１イオン化線係止部６９が上下方向に沿って並んで配置されており、ここでは、８つの第１イオン化線係止部６９が設けられている。なお、図４では、一部の第１イオン化線係止部６９にのみ符号を付して他は省略している。また、第１イオン化線支持部６７の上端部は、放電用電極部６５に放電電圧を印可するための第１接触子５１に接触するように設けられている。
【００３９】
第２イオン化線支持部６８は、取付枠１１の第２放電用電極固定部１６に取り付けられる金属製の部材であり、イオン化線６６の右端部を支持する。第２イオン化線支持部６８は、上下方向に延びる細長い形状を有しており、対向電極ユニット２１，２２の第２支持部２４に対向して配置される。第２イオン化線支持部６８の内側端（左側端）には、イオン化線６６の端部が係止する複数の第２イオン化線係止部７０が上下方向に沿って並んで配置されている。ここでは、第１イオン化線係止部６９に対応して８つの第２イオン化線係止部７０が設けられている。なお、図４では、一部の第２イオン化線係止部７０にのみ符号を付して他は省略している。
【００４０】
なお、イオン化線６６を形成するワイヤの両端は、隣接する２つの第１イオン化線係止部６９に係止しており、ワイヤの中間部分は隣接する２つの第２イオン化線係止部７０に係止して左右方向に折り返されている。これにより、一本のワイヤから２つのイオン化線６６が形成されている。
【００４１】
＜空気清浄機１による空気清浄作用＞
この空気清浄機１は、吸込み口５から吸い込まれた室内の空気中に含まれる異物を上述した各種のフィルタにおいて空気中から除去して空気を清浄化し、清浄化された空気を吹出し口から吹き出す。以下、空気清浄機１による空気清浄作用について説明する。
【００４２】
吸込み口５から吸い込まれた室内の空気は、まずプレフィルタ４１を通る。この際、比較的大きなホコリや塵が空気中から除去される。また、プレフィルタ４１に含まれる光触媒とカテキンとの作用により、プレフィルタ４１に付着した塵埃などに含まれるカビ菌や細菌などの菌やウィルスの繁殖が抑制され、ウィルスが不活化される。
【００４３】
プレフィルタ４１を通過した空気流は、プラズマイオン化部４２に送られ、イオン化線６６と対向電極２５との間を通過する。イオン化線６６と対向電極２５との間に高電圧が印加されると、イオン化線６６と対向電極２５との間に放電が生じる。この結果、イオン化線６６と対向電極２５との間を通過する空気流に含まれる塵埃等がプラス電荷に帯電する。
【００４４】
次に、空気流が光触媒フィルタ４３を通過すると、静電フィルタ４５によって、プラズマイオン化部４２を通過する際に帯電させられた塵埃などが吸着される。また、チタンアパタイト担持フィルタによって、静電フィルタ４５を通過した塵埃などが吸着される。この際、チタンアパタイトは、ストリーマ放電ユニット５０から供給された活性種により光触媒機能が活性化されており、ウィルスやカビ菌、細菌などを不活化または死滅させる。なお、イオン化線６６と対向電極２５とを通過した際に、塵埃に含まれるウィルスや菌なども帯電されているため、チタンアパタイトへのウィルスや菌の吸着効率が高まっている。
【００４５】
光触媒フィルタ４３を通過した空気流は、プラズマ触媒フィルタ４４を通過する。プラズマ触媒フィルタ４４では、光触媒フィルタ４３に吸着されなかった空気中のウィルスや菌などが吸着され、菌やウィルスなどが活性種により活性化された二酸化チタンによって死滅あるいは不活化される。
【００４６】
プラズマ触媒フィルタ４４を通過した空気流は、吹出し口から室内へと吹き出される。また、プラズマ触媒フィルタ４４を通過した空気のうちの一部は、ストリーマ放電ユニット５０に供給される。ストリーマ放電ユニット５０では、放電場に低温プラズマが生成され、活性種が空気流中に放出される。ストリーマ放電ユニット５０を通過した空気は、プレフィルタ４１の上流側に供給され、活性種をプレフィルタ４１の上流側に搬送する。
【００４７】
＜空気清浄機１の特徴＞
（１）
この空気清浄機１では、対向電極２５が直接に取付枠１１に取り付けられるのではなく、樹脂製の第１支持体２３および第２支持体２４を介して取付枠１１に取り付けられる。このため、対向電極２５が直接に取付枠１１に取り付けられる場合よりも、放電用電極部６５と対向電極２５との沿面距離を長くすることができ、絶縁性を向上させることができる。
【００４８】
また、対向電極２５、第１支持体２３、第２支持体２４は、一体的にユニット化されており、第１支持体２３および第２支持体２４は取付枠１１に対して着脱自在となっている。このため、第１対向電極ユニット２１および第２対向電極ユニット２２の取付枠１１からの取り外しや取付が容易であり、第１対向電極ユニット２１および第２対向電極ユニット２２のメンテナンスが容易である。これにより、汚れによる電極間の絶縁性の低下を防止することができる。
【００４９】
（２）
この空気清浄機１では、対向電極２５の両端にそれぞれ第１支持体２３および第２支持体２４が取り付けられている。このため、対向電極２５の金属端面のエッジが樹脂製の第１支持体２３および第２支持体２４によって覆われており、安全性が向上している。
【００５０】
＜他の実施形態＞
（ａ）
イオン化線６６や対向電極２５の棒状部分２６の数は上記のものに限られず、より多くのまたは少ないイオン化線６６や対向電極２５の棒状部分２６が設けられてもよい。また、イオン化線６６や棒状部分２６は、左右方向に平行な状態に限らず、上下方向に平行に配置されてもよい。
【００５１】
（ｂ）
上記の実施形態では、第１対向電極ユニット２１と第２対向電極ユニット２２との２つの対向電極ユニットが設けられているが、第１対向電極ユニット２１と第２対向電極ユニット２２とが一体化された１つの対向電極ユニットが設けられてもよい。ただし、取付や取り外しの容易さの観点からは、上記のように第１対向電極ユニット２１と第２対向電極ユニット２２とに分けて設けられることが望ましい。なお、３つ以上の対向電極ユニットが設けられてもよい。
【００５２】
（ｃ）
上記の実施形態では、第１対向電極ユニット２１および第２対向電極ユニット２２をそれぞれ左右逆に取り付けたり、第１対向電極ユニット２１と第２対向電極ユニット２２とを上下逆に取り付けたりすることが可能となっているが、誤った方向への取付を防止する観点からは、上記とは逆に所定方向にのみ取付が可能とされてもよい。
【産業上の利用可能性】
【００５３】
本発明は、安定的に放電を生起させることができる効果を有し、空気清浄機として有用である。
【図面の簡単な説明】
【００５４】
【図１】空気清浄機の外観斜視図。
【図２】空気清浄機の内部構成を示す模式図。
【図３】前面パネルが取り外された空気清浄機の外観斜視図。
【図４】プラズマイオン化部の背面図。
【図５】プラズマイオン化部の外観斜視図。
【図６】対向電極ユニットの背面図。
【図７】格子面、イオン化線、対向電極の側面断面の一部を示す模式図。
【符号の説明】
【００５５】
１                空気清浄機
１１              取付枠
２１              第１対向電極ユニット（対向電極ユニット）
２２              第２対向電極ユニット（対向電極ユニット）
２３              第１支持体（支持体）
２４              第２支持体（支持体）
２５              対向電極
４５              静電フィルタ
６５              放電用電極部
６６              イオン化線（放電用電極）
【図１】
2008012421.tif 000003
【図２】
2008012421.tif 000004
【図３】
2008012421.tif 000005
【図４】
2008012421.tif 000006
【図５】
2008012421.tif 000007
【図６】
2008012421.tif 000008
【図７】
2008012421.tif 000009